【手続補正書】
【提出日】平成21年7月22日(2009.7.22)
【手続補正１】
【補正対象書類名】特許請求の範囲
【補正対象項目名】全文
【補正方法】変更
【補正の内容】
【特許請求の範囲】
【請求項１】
正当な生物測定信号を受信した場合には、生物測定シグナチャをデータベースに登録し、アクセス可能性属性を提供するための送信機サブシステムと、
前記アクセス可能性属性に応じて制御されたアイテムへアクセスを行うための受信機サブシステムとを備えている制御されたアイテムに対して秘密保護された安全なアクセスを行うシステム。
【請求項２】
送信機サブシステムから受信されたアクセス可能性属性に応じて制御されたアイテムへアクセスを行うための受信機サブシステムをさらに含んでいる制御されたアイテムへの秘密保護された安全なアクセスを行うシステム中で動作するように構成された送信機サブシステムにおいて、
生物測定シグナチャをデータベースに登録する手段と、
正当な生物測定信号を受信したとき、アクセス可能性属性を提供する手段とを備えている送信機サブシステム。
【請求項３】
前記送信機サブシステムと、送信機サブシステムから受信されたアクセス可能性属性に応じて制御されたアイテムへアクセスを行うための受信機サブシステムを具備している、制御されたアイテムへの秘密保護された安全なアクセスを行うシステムにおいて送信機サブシステムによって生物測定シグナチャを生物測定シグナチャのデータベース中に登録する方法において、
送信機サブシステムにより受信された生物測定信号を管理者シグナチャとしてデータベースに記憶し、
記憶された管理者シグナチャと一致する生物測定信号が送信機により受信された場合、データベースに記憶された情報の管理処理を可能にするステップを含んでいる方法。
【請求項４】
制御されたアイテムへの秘密保護された安全なアクセスを行うシステム中で送信機サブシステムによって生物測定シグナチャを生物測定シグナチャのデータベース中に登録する方法を行うようにプロセッサに指令するコンピュータプログラムが記録されたコンピュータ読取り可能な媒体を有しているコンピュータプログラム製品において、
前記システムは送信機サブシステムと、送信機サブシステムから受信されたアクセス可能性属性に応じて制御されたアイテムへアクセスを行うための受信機サブシステムとを具備しており、前記プログラムは、
前記送信機サブシステムにより受信された生物測定信号を管理者シグナチャとしてデータベースに記憶するコードと、
記憶された管理者シグナチャと一致する生物測定信号が送信機により受信された場合、データベースに記憶された情報の管理処理を可能にするコードとを有しているコンピュータプログラム製品。
【請求項５】
生物測定シグナチャのデータベースと、
送信機サブシステムと、
受信機サブシステムとを備えており、
前記送信機サブシステムは、
生物測定信号を受信する生物測定センサと、
その生物測定信号を生物測定シグナチャのデータベースのメンバーと突きあわせる手段と、
前記アクセス可能性属性に応じて情報を伝達する秘密保護された安全なアクセス信号を放出する手段と、
生物測定シグナチャをデータベースへ登録する手段とを備えており、
前記受信機サブシステムは、
送信された秘密保護された安全なアクセス信号を受信する手段と、
前記情報に応じて制御されたアイテムへのアクセスを行う手段とを備えている制御されたアイテムへの秘密保護された安全なアクセスを行うシステム。
【請求項６】
生物測定シグナチャを登録する手段が、
生物測定シグナチャのデータベースが空であるか否かを決定する手段と、
生物測定シグナチャのデータベースが空である場合に、生物測定センサにより受信された生物測定信号を管理者シグナチャとしてデータベースに記憶する手段とを具備している請求項５記載のシステム。
【請求項７】
生物測定シグナチャを登録する手段はさらに、管理者シグナチャがデータベースに記憶されている場合、それぞれ管理者シグナチャと一致する生物測定信号の正当なシーケンスを制御情報として分類する手段を具備している請求項６記載のシステム。
【請求項８】
生物測定シグナチャを登録する手段はさらに、信号の数および継続期間の少なくとも１つが適切であるか否か、および信号が予め定められた時間内で受信されたか否かに応じて生物測定信号の前記シーケンスが正当であるか否かを決定する手段を具備している請求項６記載のシステム。
【請求項９】
生物測定シグナチャを登録する手段はさらに、制御情報に応じてデータベースに記憶された情報を修正する手段を具備している請求項７記載のシステム。
【請求項１０】
生物測定シグナチャを登録する手段はさらに、制御情報に応じて管理者シグナチャと普通シグナチャの一方として後続する生物測定信号を分類する手段を具備している請求項７記載のシステム。
【請求項１１】
送信機サブシステムは（ａ）キーフォッブと移動体通信装置の少なくとも１つを具備する遠隔制御モジュールと、（ｂ）制御されるアイテムの隣に取付けられるエンクロージャの少なくとも一方に設けられる請求項１記載のシステム。
【請求項１２】
さらに、制御情報の入力を指示するフィードバック信号を提供する手段を具備している請求項６記載のシステム。
【請求項１３】
フィードバック信号を供給する手段は可視インジケータとオーディオインジケータの少なくとも１つを具備している請求項１２記載のシステム。
【請求項１４】
生物測定シグナチャのデータベースと、送信機サブシステムと、送信された秘密保護された安全なアクセス信号を受信する手段および前記秘密保護された安全なアクセス信号の情報に応じて制御されたアイテムへのアクセスを行う手段を備えた受信機サブシステムとを備え、制御されたアイテムへ秘密保護された安全なアクセスを行うシステム中で動作する送信機サブシステムにおいて、
生物測定信号を受信する生物測定センサと、
制御されたアイテムへのアクセスを許可することができる秘密保護された安全なアクセス信号を放出する手段と、
前記生物測定シグナチャをデータベースに登録する手段とを備えている送信機サブシステム。
【請求項１５】
生物測定シグナチャをデータベースに登録する手段は、
生物測定シグナチャのデータベースが空である場合に、生物測定センサにより受信された生物測定信号を管理者シグナチャとしてデータベースに記憶する手段と、
管理者シグナチャがデータベースに記憶されている場合、管理者シグナチャとそれぞれ一致する生物測定信号の正当なシーケンスを制御情報として分類する手段と、
（ａ）制御情報に応じてデータベースに記憶された情報を修正し、（ｂ）制御情報に応じて管理者シグナチャと普通シグナチャの一方として結果的な生物測定信号を分類する処理の少なくとも一方を行う手段を具備している請求項１４記載の送信機サブシステム。
【請求項１６】
システムが（ａ）生物測定シグナチャの前記データベースと、（ｂ）生物測定信号を受信する生物測定センサと、制御されたアイテムへのアクセスを許すことのできる秘密保護された安全なアクセス信号を放出する手段と、前記生物測定シグナチャをデータベースに登録する手段とを具備する送信機サブシステムと、（ｃ）送信された秘密保護された安全なアクセス信号を受信する手段と、前記秘密保護された安全なアクセス信号中の情報に応じて制御されたアイテムへのアクセスを行う手段とを備えている受信機サブシステムを具備している、制御されたアイテムへの秘密保護された安全なアクセスを行うシステムにおいて送信機サブシステムによって生物測定シグナチャを生物測定シグナチャのデータベース中に登録する方法において、
生物測定信号を受信し、
生物測定シグナチャのデータベースが空である場合に、生物測定センサにより受信された生物測定信号を管理者シグナチャとしてデータベースに記憶し、
管理者シグナチャがデータベースに記憶されている場合、管理者シグナチャとそれぞれ一致する生物測定信号の正当なシーケンスを制御情報として分類し、
（ａ）制御情報に応じてデータベースに記憶された情報を修正し、（ｂ）制御情報に応じて管理者シグナチャと普通シグナチャの一方として後続する生物測定信号を分類する少なくとも一方を行うステップを含んでいる方法。
【請求項１７】
制御されたアイテムへの秘密保護された安全なアクセスを行うシステムにおいて送信機サブシステムによって、生物測定シグナチャを生物測定シグナチャのデータベース中に登録する方法を行うようにプロセッサに指令するコンピュータプログラムが記録されたコンピュータ読取り可能な媒体を有しているコンピュータプログラム製品において、
前記システムは（ａ）生物測定シグナチャの前記データベースと、（ｂ）生物測定信号を受信する生物測定センサと、制御されたアイテムへのアクセスを許すことのできる秘密保護された安全なアクセス信号を放出する手段と、前記生物測定シグナチャをデータベースに登録する手段とを具備する送信機サブシステムと、（ｃ）送信された秘密保護された安全なアクセス信号を受信する手段と、前記秘密保護された安全なアクセス信号中の情報に応じて制御されたアイテムへのアクセスを行う手段とを備えている受信機サブシステムを具備しており、前記プログラムは、
生物測定信号を受信するためのコードと、
生物測定シグナチャのデータベースが空である場合に、生物測定センサにより受信された生物測定信号を管理者シグナチャとしてデータベースに記憶するコードと、
管理者シグナチャがデータベースに記憶されている場合、管理者シグナチャとそれぞれ一致する生物測定信号の正当なシーケンスを制御情報として分類するコードと、
（ａ）制御情報に応じてデータベースに記憶された情報を修正し、（ｂ）制御情報に応じて管理者シグナチャと普通シグナチャの一方として結果的な生物測定信号を分類する処理の少なくとも一方を行うコードを含んでいるコンピュータプログラム製品。